(57)【要約】      （修正有）【課題】防水性が阻害されにくい携帯電子機器を提供する。【解決手段】内部が気密性を有し、且つ表面の一部に光を透過する透過窓が設けられた筐体１１と、当該筐体の内部に搭載され、前記透過窓から光を放射する放射部４２ｘと、前記筐体の内部に搭載され、前記透過窓からの光を受光する受光部４２ｙと、前記筐体に対して前記透過窓を覆う状態及び覆わない状態を取り得るように、前記筐体に取り付けられ、前記放射部からの光を前記受光部側へと反射する第１状態と反射しない第２状態とを取りうる反射部４３と、前記受光部における受光の有無により、所定の動作を行うか否かを判定する判定部と、を備える。【選択図】図３
2011097218.tif 000002
【特許請求の範囲】
【請求項１】
内部が気密性を有し、且つ表面の一部に光を透過する透過窓が設けられた筐体と、
当該筐体の内部に搭載され、前記透過窓から光を放射する放射部と、
前記筐体の内部に搭載され、前記透過窓から光を受光する受光部と、
前記筐体に対して前記透過窓を覆う状態及び覆わない状態を取り得るように、前記筐体に取り付けられ、前記放射部からの光を前記受光部側へと反射する状態と反射しない状態とを取り得る反射部と、
前記放射部が放射した光の受光部における受光の有無により、所定の動作を行うか否かを判定する制御部と、を備えた携帯電子機器。
【請求項２】
前記制御部は、前記放射部が光を放射したとの情報と、前記受光部が光を受光したとの情報から、所定の動作を行うか否かを判定する請求項１に記載の携帯電子機器。
【請求項３】
少なくとも第１のモードと第２のモードとを備え、前記制御部は、前記モードごとに、所定の動作の内容を変更する請求項１に記載の携帯電子機器。
【請求項４】
レシーバをさらに備え、
前記第１のモードは防犯モードであり、前記第１のモードにおける所定の動作は、レシーバによるブザー音放出動作である請求項３に記載の携帯電子機器。
【請求項５】
前記制御部は、前記第１のモード以外のモードのときには、前記受光部における受光の有無にかかわらず、レシーバによるブザー音放出動作をおこなわないように制御する請求項４に記載の携帯電子機器。
【請求項６】
通信部をさらに備え、
前記第２のモードは通信モードであり、前記第２のモードにおける所定の動作は、光通信動作である請求項４に記載の携帯電子機器。
【請求項７】
前記制御部は、ユーザーが前記第２のモードを選択したときには、前記受光部により他端末からの通信にかかる光信号を受信し、或いは前記放射部により他端末への通信にかかる光信号を発信する請求項６に記載の携帯電子機器。
【請求項８】
前記制御部は、ユーザーが前記第２のモードを選択したときには、前記反射部を移動させて、前記透過窓を覆わない状態にするように、ユーザーに報知する請求項６または請求項７に記載の携帯電子機器。
【発明の詳細な説明】
【技術分野】
【０００１】
本発明は、防犯用ブザーを備えた携帯電話機などの携帯電子機器に関する。
【背景技術】
【０００２】
従来から携帯電話機などの携帯電子機器において、防犯用のブザーが設けられている。このような防犯ブザーは、危険を察知したときに、筐体の一部を構成するカバー部材を、ユーザーが引っ張ることにより、防犯ブザーの機械的スイッチが作動して、鳴動するようになっていた。
【発明の概要】
【発明が解決しようとする課題】
【０００３】
しかしながら、上述した技術を、例えば防水機能を有する携帯電話機に搭載しようとした場合、カバー部材を引っ張ったことにより露出するスイッチ機構および当該スイッチ機構の周囲の電気回路等が配置された空間の防水性を保つことは困難であった。
【０００４】
従って、本発明は防水性が阻害されにくい携帯電子機器を提供することを目的とする。
【課題を解決するための手段】
【０００５】
本発明は、内部が気密性を有し、且つ表面の一部に光を透過する透過窓が設けられた筐体と、当該筐体の内部に搭載され、前記透過窓から光を放射する放射部と、前記筐体の内部に搭載され、前記透過窓から光を受光する受光部と、前記筐体に対して前記透過窓を覆う状態及び覆わない状態を取り得るように、前記筐体に取り付けられ、前記放射部からの光を前記受光部側へと反射する状態と反射しない状態とを取り得る反射部と、前記放射部が放射した光の受光部における受光の有無により、所定の動作を行うか否かを判定する制御部と、を備える。
【０００６】
また、前記制御部は、前記放射部が光を放射したとの情報と、前記受光部が光を受光したとの情報から、所定の動作を行うか否かを判定するとよい。
【０００７】
また、少なくとも第１のモードと第２のモードとを備え、前記制御部は、前記モードごとに、所定の動作の内容を変更するとよい。
【０００８】
また、レシーバをさらに備え、前記第１のモードは防犯モードであり、前記第１のモードにおける所定の動作は、レシーバによるブザー音放出動作であるとよい。
【０００９】
また、前記制御部は、前記第１のモード以外のモードのときには、前記受光部における受光の有無にかかわらず、レシーバによるブザー音放出動作をおこなわないように制御するとよい。
【００１０】
また、通信部をさらに備え、前記第２のモードは通信モードであり、前記第２のモードにおける所定の動作は、光通信動作であるとよい。
【００１１】
また、前記制御部は、ユーザーが前記第２のモードを選択したときには、前記受光部により他端末からの通信にかかる光信号を受信し、或いは前記放射部により他端末への通信にかかる光信号を発信するとよい。
【００１２】
また、前記制御部は、ユーザーが前記第２のモードを選択したときには、前記反射部を移動させて、前記透過窓を覆わない状態にするように、ユーザーに報知するとよい。
【発明の効果】
【００１３】
本発明によれば、筐体の内部の気密性を維持したまま、例えばブザーの鳴動を制御することができることから、防水性を高めた携帯電子機器を提供できる。
【図面の簡単な説明】
【００１４】
【図１】図１は、携帯電子機器の一実施形態の概略構成を示す斜視図である。
【図２】図２は、図１に示す携帯電子機器の概略構成を示すブロック図である。
【図３】図３は、図１に示す携帯電子機器の断面図である。
【図４】図４は、携帯電子機器の動作の一例を示すフロー図である。
【図５】図５は、携帯電子機器の動作の他の例を示すフロー図である。
【発明を実施するための形態】
【００１５】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handyphone System）、ゲーム機等に対しても本発明は適用できる。
【００１６】
まず、携帯電子機器の外観の構成を説明する。図１は、携帯電子機器の一実施形態の概略構成を示す斜視図である。携帯電子機器１０は、無線通信機能を備えた携帯電話機である。携帯電子機器１０は、１つの箱型形状の筐体１１の内部に各部が収納されたストレート形状の携帯電話機である。なお、本実施形態では、筐体１１を１つの箱型形状としたが、ヒンジで連結された２つの部材で構成した折りたたみ可能な筐体や、２つの部材をスライドさせる筐体としてもよい。また、３つ以上の部材を連結した筐体も用いることができる。
【００１７】
筐体１１には、表示部として、図１に示すディスプレイ１２が設けられる。ディスプレイ１２は、所定の画像として、携帯電子機器１０が受信を待機している状態のときに待ち受け画像を表示したり、携帯電子機器１０の操作を補助するために用いられるメニュー画像を表示したりする。
【００１８】
筐体１１には、通話相手の電話番号や、メール作成時等に文字を入力するための操作キー１３が複数設けられている。なお、操作キー１３は、携帯電子機器１０の操作部を構成する。また、筐体１１には、携帯電子機器１０の通話時に音声を受け取るマイク１５、携帯電子機器１０の通話時に音声を発したり、緊急時にブザーとして機能したりするレシーバ１６が設けられる。
【００１９】
また、筐体１１の上面には、画像を投影するプロジェクタ３４の射出部３４ａやカメラ３８の撮像部３８ａが設けられている。
【００２０】
また、気密性を有する筐体１１の内部には、赤外線センサ４２の放射部４２ｘ及び受光部４２ｙが設けられている。そして、赤外線センサ４２の放射部４２ｘ及び受光部４２ｙは、筐体１１の開口に嵌め込まれた光透過性の透過窓４４により覆われ、当該光透過性の透過窓４４も、気密空間を構成している。そして、透過窓４４を覆うように、内面に反射部４３を備えたカバー部材１４が、筐体１１に対して相対的に可動な状態で取り付けられている。
【００２１】
図２は、図１に示す携帯電子機器の機能の概略構成を示すブロック図である。図２に示すように携帯電子機器１０は、制御部２２と、記憶部２４と、送受信部２６と、操作部２８と、音声処理部３０と、表示部３２と、プロジェクタ３４と、カメラ３８と、赤外線センサ４２と、を有する。
【００２２】
制御部２２は、ＣＰＵ（Central Processing Unit）等の携帯電子機器１０の全体的な動作を統括的に制御する処理部である。すなわち、携帯電子機器１０の各種の処理が、操作部２８の操作や携帯電子機器１０の記憶部２４に保存されるソフトウェアに応じて適切な手順で実行されるように、送受信部２６や、音声処理部３０や、表示部３２等の動作を制御する。携帯電子機器１０の各種の処理としては、例えば、回線交換網を介して行われる音声通話、電子メールの作成及び送受信、インターネットのＷｅｂ（World Wide Web）サイトの閲覧等がある。また、送受信部２６、音声処理部３０、表示部３２等の動作としては、例えば、送受信部２６による信号の送受信、音声処理部３０による音声の入出力、表示部３２による画像の表示等がある。
【００２３】
制御部２２は、記憶部２４に保存されているプログラム（例えば、オペレーティングシステムプログラム、アプリケーションプログラム等）に基づいて処理を実行する。制御部２２は、例えば、マイクロプロセッサユニット（ＭＰＵ：Micro Processor Unit）で構成され、前記ソフトウェアで指示された手順にしたがって上述した携帯電子機器１０の各種の処理を実行する。すなわち、制御部２２は、記憶部２４に保存されるオペレーティングシステムプログラムやアプリケーションプログラム等から命令コードを順次読み込んで処理を実行する。
【００２４】
制御部２２は、複数のアプリケーションプログラムを実行する機能を有する。制御部２２が実行するアプリケーションプログラムとしては、例えば、プロジェクタの駆動を制御するアプリケーションプログラムや、各種ゲームを作動させるゲームアプリケーションプログラム等の複数のアプリケーションプログラムがある。
【００２５】
記憶部２４には、制御部２２での処理に利用されるソフトウェアやデータが保存されており、上述した、プロジェクタの駆動を制御するアプリケーションプログラムを作動させるタスクや、各種ゲームアプリケーションプログラムを作動させるタスクが保存されている。
【００２６】
また、記憶部２４には、これらのタスク以外にも、例えば、通信、ダウンロードされた音声データ、あるいは記憶部２４に対する制御に制御部２２が用いるソフトウェア、通信相手の電話番号やメールアドレス等を保存し、管理するアドレス帳、発信音や着信音等の音声ファイル、ソフトウェアの処理過程で用いられる一時的なデータ等が保存されている。なお、ソフトウェアの処理過程で用いられるコンピュータプログラムや一時的なデータは、制御部２２によって記憶部２４に割り当てられた作業領域へ一時的に保存される。記憶部２４は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００２７】
送受信部２６は、アンテナ２６ａを有し、基地局によって割り当てられるチャネルを介し、基地局との間でＣＤＭＡ方式などによる無線信号回線を確立し、基地局との間で電話通信及び情報通信を行う。
【００２８】
操作部２８は、例えば、電源キー、通話キー、数字キー、文字キー、方向キー、決定キー、発信キーなど、各種の機能が割り当てられた操作キー１３と専用キー１４とで構成され、これらのキーがユーザの操作により入力されると、その操作内容に対応する信号を発生させる。そして、発生した信号は、ユーザの指示として制御部２２へ入力される。
【００２９】
音声処理部３０は、マイク１５に入力される音声信号やレシーバ１６から出力される音声信号の処理を実行する。すなわち、音声処理部３０は、マイク１５から入力される音声を増幅し、ＡＤ変換（Analog Digital変換）を実行した後さらに符号化等の信号処理を施して、ディジタルの音声データに変換して制御部２２へ出力する。また、制御部２２から送られる音声データに対して復号化、ＤＡ変換（Digital Analog変換）、増幅等の処理を施してアナログの音声信号に変換してから、レシーバ１６へ出力する。
【００３０】
表示部３２は、液晶ディスプレイ（ＬＣＤ、Liquid Crystal Monitor）や、有機ＥＬ（Organic  Electro−Luminescence）パネルなどで構成された表示パネル（上述したディスプレイ１２等）を備え、制御部２２から供給される映像データに応じた映像、画像データに応じた画像を表示パネルに表示させる。なお、表示部３２は、ディスプレイ１２に加え、例えば、筐体を閉じた状態でも外部に露出している位置にサブディスプレイを設けてもよい。
【００３１】
プロジェクタ３４は、画像を投影する画像投影機構であり、上述したように、筐体１１の上面に投影する画像を射出部３４ａが設けられている。携帯電子機器１０は、プロジェクタ３４の射出部３４ａから画像を投影する、つまり画像を構成する光を射出することで、筐体１１の上面に対向する面にある壁面、スクリーン等のうち、一定の領域（投影領域）に画像を投影することができる。なお、プロジェクタ３４は、制御部２２により動作が制御され、制御部２２から送られる種々の映像、例えば映画、プレゼンテーション資料を投影し、投影領域に表示させる。
【００３２】
カメラ３８は、筐体１１の上面に設けられた撮影部３８ａにより投影領域を含む領域の画像を取得する撮像機構である。
【００３３】
赤外線センサ４２は、赤外光Ｒの受発光を行う。赤外線センサ４２の放射部４２ｘは、例えばＬＥＤや赤外線レーザ等により赤外光Ｒを発光する。受光部４２ｙは、フォトダイオード等を用い受光した赤外光Ｒを電圧に変換し、変換した電圧値により光の強度を検出する検出器や、光の強度により抵抗が変化するフォトレジスタや光依存性抵抗（ＬＤＲ）を用いて光の強度を検出する検出器を用いることができる。
なお、受光部４２ｙが検出可能な光は、放射部４２ｘからの放射光や、他端末からの赤外線通信用の光信号等である。
【００３４】
光を透過する透過窓４４は、赤外線センサ４２の放射部４２ｘ及び受光部４２ｙの上部に配置されている。透過窓４４は、筐体１１の開口を塞ぐように配置され、筐体１１の開口と透過窓４４の間には、パッキン４５が配置される。これにより、後述するカバー部材１４の開閉に関わらず、容易に内部の空間の気密性・防水性を維持できる。透過窓４４は、例えば透明な樹脂製板状態やガラス等が用いられる。
【００３５】
カバー部材１４は、透過窓の上方且つ筐体の一角に、筐体１１に対して相対位置が変化可能に取り付けられている。このカバー部材１４の一端には、ストラップ３５が取り付けられ、ユーザーがストラップ３５を引っ張ることにより、カバー部材１４がスライドして筐体１１に対するカバー部材１４の相対位置が変化する。また、カバー部材１４の内面には、反射部４３が形成されている。この反射部４３は、カバー部材１４の内面に、例えば金属のメッキや白色顔料を被着させることにより形成される。なお、ミラー等の反射部材を別途配置してもよい。カバー部材１４は、例えば樹脂成型により所望の形状に成型され、筐体１１に設けられた溝に沿って図１に示す矢印の方向にスライド可能に構成されている。カバー部材１４をスライドさせることにより、反射部４３も相対位置が変化することとなる。
そして、カバー部材１４がユーザーにより引っ張られていないときには、赤外線センサ４２の放射部４２ｘから放射された赤外光Ｒは、透過窓４４を透過し、カバー部材１４の反射部４３により反射され、再び透過窓４４を透過して、受光部４２ｙにより受光される。
一方、カバー部材１４がユーザーにより引っ張られたときには、赤外線センサ４２の放射部４２ｘから放射された赤外光Ｒは、透過窓４４を透過し、カバー部材１４の反射部４３により反射されることなく、外部に放射される。このとき、放射部４２ｘからの赤外光Ｒは、通常、受光部４２ｙにより受光されることはない。このような構造により、赤外光Ｒは、防水性を有する内部の空間から、防水性を阻害することなく外部の空間へと伝播し、また、反射部４３が配置されている外部の空間から、防水性を阻害することなく、防水性を維持する内部の空間へ伝播することかできる。
【００３６】
制御部の中の判定部（図示せず）は、放射部４２ｘの光の照射の有無及び受光部４２ｙの光の受光の有無の情報から、カバー部材１４の開閉状態を判定する。制御部は、携帯電話のモードが、後述する赤外線通信モードに設定されているか、防犯モードに設定されているかにより、開閉状態の判定後の動作を変化させる。
【００３７】
具体的には、赤外線通信モードの場合は、カバー部材４３が開状態のときには赤外線通信を行い、ブザー音は放出されない。一方、防犯モードの場合は、カバー部材４３が開状態の時には、ブザー音が放出される。このように、赤外線センサを通信用途以外にも、防犯用のセンサとしても用いることができる。
【００３８】
次に、赤外線センサ４２の制御の一例について、図４，５を用いて説明する。
赤外線センサ４２は、防犯モードと通信モードのいずれかが選択される。
【００３９】
図４に示すように、防犯モードの場合は、まず放射部４２ｘからの赤外光Ｒの照射が定期的に行われる（Ｓ１）。
そして、放射部４２ｘから放射された赤外光Ｒを受光部４２ｙが検出したかどうかが判定される（Ｓ２）。
赤外光Ｒの検出があったときには、制御部２２の判定部は、カバー部材１４が開状態にあると判定する（Ｓ３）。
制御部はブザー音をレシーバ１６から放出させる（Ｓ４）。
このブザー音の放出は、その後のカバー部材１４の開閉状態の変化に関わらず、放出が持続されるようにするとよい。ブザー鳴動中に、操作部の操作キー１３から所定の暗証番号が入力されたか否かを検出する（Ｓ５）。
正しい暗証番号が入力された場合に限って、ブザー音の放出を停止し（Ｓ６）、カバー部材１４を閉状態（元の状態）にするようユーザーに報知して（Ｓ７）、制御は、Ｓ１に戻ることとなる。
暗証番号の入力がされない或いは誤った暗証番号が入力された場合は、ブザー音の放出を停止せず、制御はＳ４に戻ることとなる。
なお、暗証番号設定時に、暗証番号の入力をユーザーに促すように表示することはあるが、防犯モード動作時において、暗証番号の入力をユーザーに促すように表示することはない。これにより、暗証番号を入力しないとブザー音が停止することを知らない人物から、当該暗証番号の自白を強要されにくくすることができる。
一方、赤外光Ｒの検出がないときには、判定部は、カバー部材１４が閉状態にあると判定する（Ｓ８）。このとき、制御部はブザー音をレシーバ１６から放出させることはなく（Ｓ９）、制御は、Ｓ１に戻ることとなる。
【００４０】
赤外線センサ４２による通信モードの場合は、まず放射部４２ｘからの赤外光Ｒの照射が行われる（Ｓ１）。
そして、放射部４２ｘから照射された赤外光Ｒを受光部４２ｙが検出したかどうかが判定される（Ｓ２）。
赤外光Ｒの検出があったときには、判定部は、カバー部材１４が閉状態にあると判定する（Ｓ３）。
制御部はカバー部材を閉状態から開状態にするように、ユーザーに報知し、開状態を検出するまでＳ１に戻る制御を繰り返す（Ｓ４）。
一方、赤外光Ｒの検出がなかったときには、判定部は、カバー部材１４が開状態にあると判定する（Ｓ５）。
そして、ユーザーが送信モードを選択したか受信モードを選択したかにより制御を異ならせる。
送信モードの場合は、データ等の送信を実行し（Ｓ６）、送信が完了すると、通信モードを終了し、防犯モードに移る。
受信モードの場合は、データの受信を実行し（Ｓ７）、受信が完了すると、通信モードを終了し(Ｓ８)、防犯モードに移る。
ここでは図示しないが、通信の相手方が見つからない等により、送信或いは受信のそれぞれが完了しない場合は、送信或いは受信を所定回数（通常３回）繰り返し、その後通信の失敗をユーザーにディスプレイ１２により通知し、通信モードを終了し、防犯モードに移行する。
【００４１】
なお、上述では、赤外線センサを用いて、防犯モードと赤外線通信モードとでカバー部材１４の開閉検出を行うようにしたが、これに限られない。例えば、光センサを用いてカバー部材１４の開閉検出を行ってもよい。具体的には、撮影モードと防犯モードとでカバー部材１４の開閉検出を行い、撮影モードでは、カバー部材が開状態のときに、光センサにより撮影時の周囲の明るさを測り、防犯モードの時には、上述と同様に、ブザー音放出のスイッチとしてもよい。
また、上述の防犯モードではカバー部材１４が開状態のときにブザー音を放出するが、それに加えて、特定の信号、緊急信号等を赤外光Ｒにより発信してもよい。
また、上述の実施例では、赤外光Ｒが検出されないときに、ブザー音を放出する設定としたが、赤外光Ｒが検出されたときに、ブザー音を放出する設定としてもよい。
また、上述の実施例では、通信モードとして、送受信の双方を行う場合について述べたが、通信モードとして、リモコン機能のように送信のみを行う場合であってもよい。
【符号の説明】
【００４２】
１０  携帯電話機
１１  筐体
１２  ディスプレイ
１３  操作キー
１４  カバー部材
１５  マイク
１６  レシーバ
２２  制御部
２４  記憶部
２６  送受信部
２６ａ  アンテナ
２８  操作部
３０  音声処理部
３２  表示部
３４  プロジェクタ
３５  ストラップ
３８  カメラ
３８ａ  撮像部
４２  赤外線センサ
４３  反射部
４４  透過窓
４５  パッキン
Ｒ  赤外光
【図１】
2011097218.tif 000003
【図２】
2011097218.tif 000004
【図３】
2011097218.tif 000005
【図４】
2011097218.tif 000006
【図５】
2011097218.tif 000007